(57)【要約】【課題】システム全体における通信途絶の耐性を高めることが可能な電力制御システムを提供することを目的とする。【解決手段】給電装置２と、優先順位と、親機フラグとの対応関係を示す優先順位テーブルを記憶する記憶部８と、各給電装置２の間で通信途絶があると、その通信途絶した給電装置２に基づいて、記憶部８に記憶されているデータに示される優先順位及び親機フラグを更新する優先順位設定部６と、優先順位テーブルに基づいて、各給電装置２のうち、自身の給電装置２が親機であると判断すると、各給電装置２から送信される要求電流と系統電源１０３の最大許容電流とに基づいて、系統電源１０３から各給電装置２に流す電流の上限値を設定する上限値設定部７とを各給電装置２にそれぞれ備える。【選択図】図２
2013172539.tif 000002
【特許請求の範囲】
【請求項１】
複数の給電装置又は複数の通信装置が互いにデータを送受信する電力制御システムであって、
前記複数の給電装置は、それぞれ、車両のバッテリを充電する充電装置に電力を供給するとともに、前記充電装置から要求電流を受信し、
前記複数の通信装置は、それぞれ、電子機器に流れる電流を検出し、
前記各給電装置又は前記各通信装置は、それぞれ、
前記給電装置又は前記通信装置と、優先順位と、親機であることを示すデータとの対応関係を示すデータを記憶する記憶部と、
前記各給電装置のうち親機である給電装置とその親機以外の各給電装置との間又は前記各通信装置のうち親機である通信装置とその親機以外の各通信装置との間で通信途絶があると、前記親機以外の各給電装置又は前記親機以外の各通信装置において、前記記憶部に記憶されているデータに示される優先順位及び親機であることを示すデータを更新する優先順位設定部と、
前記記憶部に記憶されているデータに示される優先順位に基づいて、前記各給電装置又は前記各通信装置のうち、自身の給電装置又は自身の通信装置が親機であると判断すると、前記各給電装置から送信される要求電流又は前記各通信装置から送信される検出電流と系統電源の最大許容電流とに基づいて、前記系統電源から前記各給電装置又は前記各電子機器に流す電流の上限値を設定する上限値設定部と、
を備える電力制御システム。
【請求項２】
車両のバッテリを充電する充電装置に電力を供給するとともに、前記充電装置から要求電流を受信し、他の給電装置とデータを送受信する給電装置であって、
前記給電装置と、優先順位と、親機であることを示すデータとの対応関係を示すデータを記憶する記憶部と、
前記各給電装置のうち親機である給電装置とその親機以外の各給電装置との間で通信途絶があると、前記親機以外の各給電装置において、前記記憶部に記憶されているデータに示される優先順位及び親機であることを示すデータを更新する優先順位設定部と、
前記記憶部に記憶されているデータに示される優先順位に基づいて、自身の給電装置が親機であると判断すると、前記各給電装置から送信される要求電流と系統電源の最大許容電流とに基づいて、前記系統電源から前記各給電装置に流す電流の上限値を設定する上限値設定部と、
を備える給電装置。
【請求項３】
電子機器に流れる電流を検出し、他の通信装置と互いにデータを送受信する通信装置であって、
前記通信装置と、優先順位と、親機であることを示すデータとの対応関係を示すデータを記憶する記憶部と、
前記各通信装置のうち親機である通信装置とその親機以外の各通信装置との間で通信途絶があると、前記親機以外の各通信装置において、前記記憶部に記憶されているデータに示される優先順位及び親機であることを示すデータを更新する優先順位設定部と、
前記記憶部に記憶されているデータに示される優先順位に基づいて、自身の通信装置が親機であると判断すると、前記各通信装置から送信される検出電流と系統電源の最大許容電流とに基づいて、前記系統電源から前記各電子機器に流す電流の上限値を設定する上限値設定部と、
を備える通信装置。
【発明の詳細な説明】
【技術分野】
【０００１】
本発明は、系統電源から供給される電力を複数の給電装置や複数の電子機器に分配する電力制御システムに関する。
【背景技術】
【０００２】
近年、電気自動車やプラグインハイブリッド車などの車両に搭載されるバッテリを充電するための給電装置が普及してきている。給電装置を複数設置しているチャージステーションでは、各給電装置へ電力を分配するための電力制御装置が備えられている。電力制御装置は、電力分配を行なうために、各給電装置との間で必要な情報をやり取りする。
【０００３】
図１０は、複数の給電装置と電力制御装置とを備える既存の電力制御システムの一例を示す図である。
図１０に示す電力制御システム１００は、複数の給電装置１０１（１０１−１〜１０１−ｎ）と、電力制御装置１０２とを備える。
【０００４】
各給電装置１０１は、それぞれ、系統電源１０３から供給される電力を、車両に搭載される充電装置１０４に供給する。充電装置１０４は、給電装置１０１から供給される電力によりバッテリを充電する。
【０００５】
電力制御装置１０２は、各給電装置１０１から送信される要求電流の合計が、系統電源１０３の最大許容電流値を超えないように、各給電装置１０１へ使用可能な電流の上限値を送信する。
【０００６】
しかしながら、図１０に示す既存の電力制御システム１００では、各給電装置１０１と電力制御装置１０２との間で通信途絶が発生すると、電力制御装置１０２において各給電装置１０１の要求電流を把握することができなくなり、系統電源１０３から各給電装置１０１へ流れる電流を制御することができなくなるおそれがある。
【０００７】
そこで、例えば、システム全体における通信途絶に対する耐性を高めるために、電力制御装置１０２を多重化することが考えられる（例えば、特許文献１参照）。
【先行技術文献】
【特許文献】
【０００８】
【特許文献１】特開２０１１−１５２０２２号公報
【発明の概要】
【発明が解決しようとする課題】
【０００９】
しかしながら、図１０に示す電力制御システム１００において、電力制御装置１０２を多重化する場合では、電力制御装置１０２の増加に伴って各給電装置１０１と各電力制御装置１０２とをつなぐ通信線も増加するため、通信線の異常（例えば、断線など）による通信途絶のリスクを低減することができず、システム全体における通信途絶の耐性を高めることができないおそれがある。
【００１０】
そこで、本発明は、システム全体における通信途絶の耐性を高めることが可能な電力制御システムを提供することを目的とする。
【課題を解決するための手段】
【００１１】
本発明の電力制御システムは、複数の給電装置又は複数の通信装置が互いにデータを送受信する電力制御システムであって、前記複数の給電装置は、それぞれ、車両のバッテリを充電する充電装置に電力を供給するとともに、前記充電装置から要求電流を受信し、前記複数の通信装置は、それぞれ、電子機器に流れる電流を検出し、前記各給電装置又は前記各通信装置は、それぞれ、前記給電装置又は前記通信装置と、優先順位と、親機であることを示すデータとの対応関係を示すデータを記憶する記憶部と、前記各給電装置のうち親機である給電装置とその親機以外の各給電装置との間又は前記各通信装置のうち親機である通信装置とその親機以外の各通信装置との間で通信途絶があると、前記親機以外の各給電装置又は前記親機以外の各通信装置において、前記記憶部に記憶されているデータに示される優先順位及び親機であることを示すデータを更新する優先順位設定部と、前記記憶部に記憶されているデータに示される優先順位に基づいて、前記各給電装置又は前記各通信装置のうち、自身の給電装置又は自身の通信装置が親機であると判断すると、前記各給電装置から送信される要求電流又は前記各通信装置から送信される検出電流と系統電源の最大許容電流とに基づいて、前記系統電源から前記各給電装置又は前記各電子機器に流す電流の上限値を設定する上限値設定部とを備える。
【００１２】
これにより、親機である給電装置とその親機以外の各給電装置との間又は親機である通信装置とその親機以外の各通信装置との間で通信途絶が発生しても継続して各給電装置へ又は各電子機器へ電力を継続して供給することができ、システム全体における通信途絶の耐性を高めることができる。
【発明の効果】
【００１３】
本発明によれば、系統電源から供給される電力を複数の給電装置や複数の電子機器に分配する電力制御システムにおいて、システム全体における通信途絶の耐性を高めることができる。
【図面の簡単な説明】
【００１４】
【図１】本発明の実施形態の電力制御システムの一例を示す図である。
【図２】給電装置及び充電装置の一例を示す図である。
【図３】給電装置及び充電装置の他の例を示す図である。
【図４】優先順位設定部の動作を示すフローチャートである。
【図５】優先順位テーブルの一例を示す図である。
【図６】上限値設定部の動作を示すフローチャートである。
【図７】上限値テーブルの一例を示す図である。
【図８】本発明の実施形態の電力制御システムの変形例（その１）を示す図である。
【図９】本発明の実施形態の電力制御システムの変形例（その２）を示す図である。
【図１０】既存の電力制御システムの一例を示す図である。
【発明を実施するための形態】
【００１５】
実施形態では、複数の給電装置又は複数の通信装置が互いにデータを送受信する電力制御システムにおいて、系統電源から供給される電力を各給電装置に分配するための機能を各電力制御装置に付加する。
【００１６】
例えば、複数の給電装置のうちの何れかの給電装置が親機となるとともに、その他の給電装置が子機となり、その親機の電力分配制御により、系統電源の電力が各給電装置に分配される。そして、何らかの通信異常により、親機と各子機との間の通信が途絶すると、各子機の間で親機が新たに設定され、新たに設定された親機により、系統電源の電力が各給電装置に分配される。具体的には、親機の給電装置により、系統電源から各給電装置へ流れる電流の上限値が設定される。
【００１７】
その結果、親機と各子機との間で通信途絶が発生しても継続して各給電装置へ電力を継続して供給することができ、システム全体における通信途絶の耐性を高めることができる。
【００１８】
以下、図面に基づいて、実施形態について詳細を説明する。
図１は、本発明の実施形態の電力制御システムの一例を示す図である。なお、図１０に示す既存の電力制御システム１００と同じ構成には同じ符号を付している。
【００１９】
図１に示す電力制御システム１は、互いにデータを送受信する複数の給電装置２（２−１〜２−ｎ）を備える。
各給電装置２は、それぞれ、通信部３と、電力制御部４と、給電部５とを備える。なお、図１に示す電力制御システム１において、各給電装置２は、例えば、プラグインハイブリッド車や電気自動車などの車両を複数台駐車することが可能なチャージステーションなどに設置される充電スタンドとする。
【００２０】
通信部３は、有線通信又は無線通信により、他の給電装置の通信部３とデータの送受信を行う。
電力制御部４は、系統電源１０３の電力を各給電装置へ分配する。例えば、電力制御部４は、ＣＰＵ（Central Processing Unit）又はプログラマブルなデバイス（ＦＰＧＡ（Field Programmable Gate Array）やＰＬＤ（Programmable Logic Device）など）及び記録部などにより構成され、その記録部に記録されているプログラムをＣＰＵ又はプログラマブルなデバイスが読み出して実行することにより、各給電装置２のうち、どの給電装置２を親機に、どの給電装置２を子機に設定するかを優先順位に基づいて決定しつつ、自身の給電装置２が親機に設定される場合、系統電源１０３から供給される電力を各給電装置２へ分配するための制御を行う。
【００２１】
給電部５は、親機により分配される電力を、車両に搭載される充電装置１０４に供給する。充電装置１０４は、給電部５から供給される電力により、走行用モータや車載用電子機器などに電力を供給するためのバッテリを充電する。
【００２２】
このように、図１に示す電力制御システム１では、各給電装置２にそれぞれ電力制御部４を備え、電力制御部４が各給電装置２のうち、どの給電装置２を親機に、どの給電装置２を子機に設定するかを優先順位に基づいて決定しつつ、自身の給電装置２が親機に設定される場合、系統電源１０３から供給される電力を各給電装置２へ分配するための制御を行うため、親機と各子機との間で通信途絶が発生しても継続して各給電装置２へ電力を継続して供給することができ、システム全体における通信途絶の耐性を高めることができる。
【００２３】
また、図１に示す電力制御システム１では、図１０に示す既存の電力制御システム１００に比べて、通信線の増加がなく、通信線の異常による通信途絶のリスクを低減することができる。
【００２４】
図２は、給電装置２及び充電装置１０４の一例を示す図である。なお、図１に示す構成と同じ構成には同じ符号を付している。
電力制御部４は、優先順位設定部６と、上限値設定部７と、記憶部８とを備える。
【００２５】
優先順位設定部６は、他の給電装置２から送られてくるデータ（問い合わせに対する応答や優先順位など）に基づいて優先順位テーブル（データ）を作成するとともに、その優先順位テーブルに基づいて各給電装置２のうちの何れかの給電装置を親機に設定する。
【００２６】
上限値設定部７は、系統電源１０３から自身の給電装置２へ流れる電流の上限値を設定する。
記憶部８は、例えば、ＲＡＭ（Random Access Memory）やＲＯＭ（Read Only Memory）などであって、優先順位テーブルや後述する上限値テーブルを記憶する。
【００２７】
給電部５は、有線通信部９と、電力変換部１０と、充電ケーブル１１と、給電制御部１２とを備える。
充電装置１０４は、有線通信部１３と、電力変換部１４と、バッテリ１５と、受電制御部１６とを備える。
【００２８】
有線通信部９、１３は、充電ケーブル１１内の通信線を介して互いにデータ（要求電流など）を送受信する。
電力変換部１０は、系統電源１０３から供給される電力に対して力率を改善し、その力率改善後の電力を充電ケーブル１１内の電力線を介して充電装置１０４へ供給する。
【００２９】
給電制御部１２は、電力変換部１０の動作を制御する。例えば、給電制御部１２は、ＣＰＵ又はプログラマブルなデバイス及び記録部などにより構成され、その記録部に記録されているプログラムをＣＰＵ又はプログラマブルなデバイスが読み出して実行することにより、系統電源１０３から給電装置２を介して充電装置１０４へ流れる電流が上限値を超えないようにしつつ、充電装置１０４から送信される要求電流に基づく電力が充電装置１０４へ供給されるように、電力変換部１０の動作を制御する。
【００３０】
電力変換部１４は、充電ケーブル１１内の電力線を介して電力変換部１０から供給される電力を充電用の電力に変換し、その変換後の電力によりバッテリ１５を充電する。
受電制御部１６は、電力変換部１４の動作を制御する。例えば、給電制御部１２は、ＣＰＵ又はプログラマブルなデバイス及び記録部などにより構成され、その記録部に記録されているプログラムをＣＰＵ又はプログラマブルなデバイスが読み出して実行することにより、電力変換部１４の動作を制御する。
【００３１】
図３は、給電装置２及び充電装置１０４の他の例を示す図である。なお、図２に示す構成と同じ構成には同じ符号を付しその説明を省略する。
図３に示す給電部５は、無線通信部１７と、電力変換部１８と、整合部１９と、コイル２０と、給電制御部２１とを備える。
【００３２】
充電装置１０４は、無線通信部２２と、コイル２３と、整合部２４と、整流部２５と、検出部２６と、バッテリ２７と、受電制御部２８とを備える。
無線通信部１７、２２は、無線通信により、互いにデータ（要求電流など）を送受信する。
【００３３】
電力変換部１８は、系統電源１０３の電力を予め決められた周波数で、かつ、予め決められた電圧値の電力に変換する。
整合部１９は、電力変換部１８から出力される電力の力率を改善するための回路などを備える。
【００３４】
給電制御部２１は、電力変換部１８や整合部１９の動作を制御する。例えば、給電制御部２１は、ＣＰＵ又はプログラマブルなデバイス及び記録部などにより構成され、その記録部に記録されているプログラムをＣＰＵ又はプログラマブルなデバイスが読み出して実行することにより、系統電源１０３から供給される電力をコイル２０、２３を介して充電装置１０４へ非接触で供給させる。なお、非接触電力給電方式は、例えば、電磁誘導方式、電波方式、又は、磁界共鳴方式など、特に限定されない。また、バッテリ２７の充電時、コイル２０、２３は、それぞれ、給電装置２から充電装置１０４へ非接触で電力を供給することが可能な位置に調整されているものとする。
【００３５】
整合部２４は、例えば、コイル２３側のインピーダンスと整流部２５側のインピーダンスとを互いに一致させるための回路などを備える。
整流部２５は、給電部５から供給される電力を整流し、その整流後の電力によりバッテリ２７を充電する。
【００３６】
検出部２６は、バッテリ２７の電圧、バッテリ２７へ流れる充電電流、及びバッテリ２７から流れる放電電流を検出する。なお、検出部２６により検出される電圧や電流は、例えば、受電制御部２８においてバッテリ２７のＳＯＣ（State Of Charge）や要求電流を求めるために使用される。
【００３７】
受電制御部２８は、整合部２４や整流部２５などの動作を制御する。例えば、受電制御部２８は、ＣＰＵ又はプログラマブルなデバイス及び記録部などにより構成され、その記録部に記録されているプログラムをＣＰＵ又はプログラマブルなデバイスが読み出して実行することにより、整合部２４や整流部２５などの動作を制御し、給電部５からコイル２０、２３を介して非接触で供給される電力によりバッテリ２７を充電させる。
【００３８】
図４は、優先順位設定部６の動作を示すフローチャートである。
まず、優先順位設定部６は、ユーザなどにより自身の給電装置２の電源がオンすると（Ｓ１１がＹｅｓ）、通信部３により他の給電装置２に優先順位の問い合わせを行う（Ｓ１２）。
【００３９】
次に、優先順位設定部６は、優先順位の問い合わせに対する応答結果に基づいて、各給電装置２と優先順位と親機フラグ（親機であることを示すデータ）との対応関係を示す優先順位テーブルを作成し、記憶部８に記憶する（Ｓ１３）。例えば、４台の給電装置２−１〜２−４のうち、給電装置２−１が他の給電装置２−２〜２−４に対して問い合わせを行い、それら問い合わせに対して応答が無かった場合、給電装置２−１の優先順位設定部６は、図５（ａ）に示す優先順位テーブルのように、自身の優先順位を最も高い「１」としつつ、親機フラグを「オン」とする優先順位テーブルを作成する。また、４台の給電装置２−１〜２−４のうち、給電装置２−１が他の給電装置２−２〜２−４に対して問い合わせを行い、優先順位として給電装置２−２から「２」を、給電装置２−３から「３」を、給電装置２−４から「１」を給電装置２−１がそれぞれ受信した場合、給電装置２−１の優先順位設定部６は、図５（ｂ）に示す優先順位テーブルのように、自身の給電装置２−１の優先順位を最も低い「４」としつつ、優先順位が最も高い給電装置２−４の親機フラグを「オン」とする優先順位テーブルを作成する。
【００４０】
次に、優先順位設定部６は、電力制御部４に備えられる不図示のカウンタのカウント値をリセットするとともに、そのカウンタのカウントを開始させ（Ｓ１４）、他の給電装置２から優先順位の問い合わせがあるか否かの判断を行う（Ｓ１５）。
【００４１】
優先順位設定部６は、優先順位の問い合わせがあった場合（Ｓ１５がＹｅｓ）、記憶部８に記憶される優先順位テーブルから自身の優先順位を取り出し、問い合わせ元の給電装置２に送信し（Ｓ１６）、優先順位の問い合わせがなかった場合（Ｓ１５がＮｏ）、カウンタのカウント値が予め決められた所定カウント値になったか否かを判断する（Ｓ１７）。
【００４２】
優先順位設定部６は、カウンタのカウント値が所定カウント値になった判断すると（Ｓ１７がＹｅｓ）、各給電装置２に優先順位の問い合わせを行い（Ｓ１８）、その問い合わせに対する応答結果に基づいて、優先順位テーブルを更新した後（Ｓ１９）、Ｓ１４に戻り、電力制御が終了するまで（Ｓ２０がＹｅｓ）、Ｓ１４〜Ｓ１９を繰り返す。例えば、給電装置２−１の記憶部８に図５（ｂ）に示す優先順位テーブルが記憶されており、給電装置２−４から給電装置２−１へ問い合わせに対する応答がなかった場合、給電装置２−１の優先順位設定部６は、図５（ｃ）に示す優先順位テーブルのように、給電装置２−４の優先順位をブランクに、給電装置２−２の優先順位を「２」から「１」に、給電装置２−３の優先順位を「３」から「２」に、給電装置２−１の優先順位を「４」から「３」にして、給電装置２−４の親機フラグを「オン」から「オフ」に、優先順位が最も高くなった給電装置２−２の親機フラグを「オフ」から「オン」にする。なお、電源のオフ、チャージステーションの営業時間外、又は、車両が１台も停車していないなどの条件を、記憶部８に予め記憶しておき、その条件に当てはまったときに、電力制御部４が自動的に電力制御を終了するように構成してもよい。
【００４３】
図６は、上限値設定部７の動作を示すフローチャートである。なお、図６に示すＳ２１〜Ｓ２９の動作は、例えば、ユーザなどにより給電装置２の電源がオンしてからその電源がオフするまで、予め決められた一定時間毎に繰り返し行われるものとする。
【００４４】
まず、上限値設定部７は、記憶部８に記憶される優先順位テーブルを参照して、自身の給電装置２が親機に設定されているか否かを判断する（Ｓ２１）。例えば、給電装置２−４の記憶部８に図５（ｂ）に示す優先順位テーブルが記憶されている場合、その給電装置２−４の上限値設定部７は、給電装置２−４の親機フラグが「オン」であることを判断し、自身の給電装置２が親機に設定されていると判断する。
【００４５】
上限値設定部７は、自身の給電装置２が親機に設定されていないと判断し（Ｓ２１がＮｏ）、ユーザなどにより充電開始指示が入力されると（Ｓ２２がＹｅｓ）、車両から送信される要求電流を、親機の給電装置２へ送信し（Ｓ２３）、親機の給電装置２から返信される上限値を受信する（Ｓ２４）。上限値を受信した給電装置２は、系統電源１０３からの電流がその上限値を超えないようにしつつ、充電装置１０４に充電用の電力を供給する。
【００４６】
また、上限値設定部７は、自身の給電装置２が親機に設定されていると判断し（Ｓ２１がＹｅｓ）、ユーザなどにより充電開始指示が入力され（Ｓ２５がＹｅｓ）、他の給電装置２から要求電流を受信していない場合（Ｓ２６がＮｏ）、系統電源１０３の最大許容電流値を自身の給電装置２における上限値と設定する（Ｓ２７）。例えば、系統電源１０３の最大許容電流値が４０［Ａ］である場合、上限値設定部７は、図７（ａ）に示す上限値テーブルのように、系統電源１０３から給電装置２へ流すことが可能な電流の上限値として４０［Ａ］を設定する。そして、その給電装置２は、系統電源１０３からの電流が４０［Ａ］を超えないように、充電装置１０４に充電用の電力を供給する。
【００４７】
また、上限値設定部７は、自身の給電装置２が親機に設定されていると判断し（Ｓ２１がＹｅｓ）、ユーザなどにより充電開始指示が入力され（Ｓ２５がＹｅｓ）、他の給電装置から要求電流を受信している場合（Ｓ２６がＹｅｓ）、自身の給電装置２における要求電流と他の給電装置からの要求電流とに基づいて各給電装置２の上限値を算出し（Ｓ２８）、それら算出した上限値を自身の給電装置２における上限値に設定するとともに、他の給電装置に返信する（Ｓ２９）。例えば、系統電源１０３の最大許容電流値が４０［Ａ］、給電装置２−１〜２−４のうちの給電装置２−１が親機である場合、給電装置２−１の上限値設定部７は、図７（ｂ）に示すように、系統電源１０３の最大許容電流値４０［Ａ］を給電装置２の数「４」で除算した結果（平均値）である１０［Ａ］を各給電装置２の上限値とする。そして、各給電装置２−１〜２−４は、それぞれ、系統電源１０３からの電流が１０［Ａ］を超えないように、充電装置１０４に充電用の電力を供給する。
【００４８】
図８は、本発明の実施形態の電力制御システムの変形例（その１）を示す図である。なお、図１に示す構成と同じ構成には同じ符号を付している。
図８に示す電力制御システム８０において、図１に示す電力制御システム１と異なる点は、互いにデータを送受信する複数の通信装置８１（８１−１〜８１−ｎ）を備え、各給電装置２に備えられていた通信部３及び電力制御部４を各通信装置８１に備えた点である。なお、図８に示す電力制御システム８０において、給電装置２−１の給電部５は、例えば、図２又は図３に示す給電部５と同様とする。また、給電装置２−２の給電部５は、例えば、図２に示す給電部５から有線通信部９を無くし電力変換部１０及び給電制御部１２のみを備える給電部５とする。また、給電装置２−３の給電部５は、例えば、図２に示す給電部５から有線通信部９及び給電制御部１２を無くし電力変換部１０のみを備える給電部５（例えば、コンセントなど）とする。また、各通信装置８１は、充電装置１０４から送信される要求電流を受信する機能（例えば、有線通信部９など）を備えるものとする。
【００４９】
図８に示す電力制御システム８０によれば、図１に示す電力制御システム１と同様に、親機と各子機との間で通信途絶が発生しても継続して各給電装置２へ電力を継続して供給することができ、システム全体における通信途絶の耐性を高めることができる。
【００５０】
また、図８に示す電力制御システム８０によれば、給電装置２が有線通信部９や給電制御部１２を備えていなくとも、系統電源１０３の電力を各給電装置２へ分配することができるため、多種多様な給電装置２が設置されるチャージステーションにおいても容易にシステムを構築することができる。
【００５１】
図９は、本発明の実施形態の電力制御システムの変形例（その２）を示す図である。なお、図８に示す構成と同じ構成には同じ符号を付している。
図９に示す電力制御システム９０において、図８に示す電力制御システム８０と異なる点は、系統電源１０３の電力の分配先が給電装置２以外に、照明器具、エアーコンディショナー、又は蓄電池などの電子機器である点である。なお、図９に示す電力制御システム９０において、通信装置８１−１により供給電力が制御される給電装置２−１は、例えば、充電スタンドとする。また、通信装置８１−２により供給電力が制御される電子機器９１−１は、例えば、照明器具とする。また、通信装置８１−３により供給電力が制御される電子機器９１−２は、例えば、エアーコンディショナーとする。また、各通信装置８１は、電子機器９１に流れている電流を検出する機能を備えているものとする。また、親機である通信装置８１は、給電装置２からの要求電流や電子機器９１の検出電流が系統電源１０３の最大許容電流値を超えないように、系統電源１０３の電力を給電装置２や電子機器９１に分配するものとする。
【００５２】
図９に示す電力制御システム９０によれば、図１に示す電力制御システム１と同様に、親機と各子機との間で通信途絶が発生しても継続して給電装置２や電子機器９１へ電力を継続して供給することができ、システム全体における通信途絶の耐性を高めることができる。
【００５３】
また、図９に示す電力制御システム９０によれば、給電装置２や電子機器９１が有線通信部９や給電制御部１２を備えていなくとも、系統電源１０３の電力を給電装置２や電子機器９１へ分配することができるため、スマートグリッドなどの電力網においても容易にシステムを構築することができる。
【００５４】
また、図９に示す電力制御システム９０によれば、通信部３や電力制御部４を通信装置８１に備え、その通信装置８１により各給電装置２や各電子機器９１への電力分配制御を行う構成であるため、電力分配制御を行うための共通したプラットフォームを給電装置２や電子機器９１に組み込んでおく必要がない。
【符号の説明】
【００５５】
１  電力制御システム
２  給電装置
３  通信部
４  電力制御部
５  給電部
６  優先順位設定部
７  上限値設定部
８  記憶部
９  有線通信部
１０  電力変換部
１１  充電ケーブル
１２  給電制御部
１３  有線通信部
１４  電力変換部
１５  バッテリ
１６  受電制御部
１００  電力制御システム
１０１  給電装置
１０２  電力制御装置
１０３  系統電源
１０４  充電装置
【図１】
2013172539.tif 000003
【図２】
2013172539.tif 000004
【図３】
2013172539.tif 000005
【図４】
2013172539.tif 000006
【図５】
2013172539.tif 000007
【図６】
2013172539.tif 000008
【図７】
2013172539.tif 000009
【図８】
2013172539.tif 000010
【図９】
2013172539.tif 000011
【図１０】
2013172539.tif 000012